(57)【要約】 【課題】  内部のＩＣ装置の破損の可能性の高いＩＣタグが、外見だけで簡単にわかるＩＣタグを提供することを目的としている。【解決手段】  ＩＣ装置(２)が損壊する程度以上の力を受けたとき、破損する性質を有するか、又は前記圧力の痕跡を残す性質を有する表面部(４)を備えた。【選択図】  図２
2005346296.tif 000002
【特許請求の範囲】
【請求項１】
内部のＩＣ装置が損壊する程度以上の力を受けたとき、破損する性質を有するか、又は前記力の痕跡を残す性質を有する表面部を備えたことを特徴とするＩＣタグ。
【請求項２】
前記表面部は、力を受けると割れやすいプラスチックその他の素材からなることを特徴とする請求項１記載のＩＣタグ。
【請求項３】
前記表面部は、力を受けると変色する感圧ノーカーボン紙その他の素材からなることを特徴とする請求項１記載のＩＣタグ。
【請求項４】
前記表面部は、ＩＣタグ本体表面に貼り付けるシール片とすることを特徴とする請求項１から３のいずれかに記載のＩＣタグ。
【請求項５】
前記シール片の粘着力を、弱粘着性として剥離可能とすることを特徴とする請求項４記載のＩＣタグ。
【発明の詳細な説明】
【技術分野】
【０００１】
この発明は、内部装置として、例えば、タグ情報を記憶したＩＣチップと、ＩＣチップの入出力端子に端部が接続されたアンテナを備え、非接触で外部装置（ＩＣタグリーダ／ライタ）との間で情報等の交信を行うことのできるＩＣタグに関する。
【背景技術】
【０００２】
このようなＩＣタグは、商品に取り付けて在庫管理や物流等に用いられている。在庫管理に用いられる場合は、タグ情報として、ＩＣチップに商品の型番、形状、サイズ、色等の情報を書き込んでおけば、商品の在庫の状況が正確に把握できる利点がある。しかしながら、ＩＣタグが壊れていれば、ＩＣタグが付された商品の状況は把握できない。
【０００３】
このような破損したＩＣタグを見いだすために、ＩＣタグの一部が破損した場合において、正常な時とは異なる応答電波を出力する手段を備えたＩＣタグがある。
【０００４】
【特許文献１】特開２００１−３４４５７９号公報
【発明の開示】
【発明が解決しようとする課題】
【０００５】
しかし、特許文献１に開示された構造では、ＩＣタグを外部装置で読み取らなければＩＣタグの破損を検出することができない。
【０００６】
売場においてＩＣタグを商品に取り付けて運用した場合、商品を取り扱う際にＩＣタグが破損することがある。なおかつ、ＩＣタグが壊れていることが外見上分からないため、商品管理や在庫管理に支障をきたすという大きな問題がある。ＩＣタグが壊れていることが目で見て分かれば取り替えればよいが、表面上壊れているように見えないことが大半である。
【０００７】
商品売場でＩＣタグが壊れる最大の原因は、ＩＣ装置に圧力等の力がかかることである。例えば、靴に付されたＩＣタグであれば、試着の際、ＩＣタグが踏まれて、しばしばＩＣタグが破損する。こうした売場で、ＩＣタグの破損の有無を、いちいち外部装置で読み取って確認するのは非常に面倒である。
【０００８】
この発明は、上記の不具合を解消して、内部のＩＣ装置の破損の可能性の高いＩＣタグが、外見だけで簡単にわかるＩＣタグを提供することを目的としている。
【課題を解決するための手段】
【０００９】
上記の課題を解決するため、この発明は、内部のＩＣ装置が損壊する程度以上の力を受けたとき、破損する性質を有するか、又は前記力の痕跡を残す性質を有する表面部を備えたことを特徴とする。
【００１０】
また、前記表面部は、力を受けると割れやすいプラスチックその他の素材からなるものとする。
【００１１】
さらに、前記表面部を、力を受けると変色する感圧ノーカーボン紙その他の素材とすることが考えられる。
【００１２】
また、前記表面部は、ＩＣタグ本体表面に貼り付けるシール片とする。更に、このシール片の粘着力を、弱粘着性として剥離可能としている。
【発明の効果】
【００１３】
この発明によれば、ＩＣ装置が損壊する程度以上の力を受けたとき、破損する性質を有するか、又は前記力の痕跡を残す性質を有する表面部を備えていることから、ＩＣ装置が壊れたことがわからなくても、破損の原因となる力がＩＣ装置に加わったことが、外見上分かるので、壊れたＩＣタグの発見が容易となり、ＩＣタグを利用する利便性を格段に高められる。
【００１４】
即ち、本発明では、外見を目視することにより、内部のＩＣ装置が破損されている可能性が判断でき、表面部に変化が表れているＩＣタグについてのみ、外部装置で読み取って、破損の有無を確認すればよく、省力化を図れる。また、表面部の破壊や変化を見て、外部装置による検査をせずに、そのまま取り替えることもでき、非常に便利である。
【００１５】
更に、表面部を、ＩＣタグ本体表面に貼り付けるシール片とすれば、既製のＩＣタグを、力が加わったことが外見上わかるＩＣタグとすることができる。
【００１６】
上記シール片の粘着力を、弱粘着性として剥離可能とすることにより、シール片を剥がして、ＩＣタグに再度書き込みをし、ＩＣタグの再利用を図ることができる。
【発明を実施するための最良の形態】
【００１７】
以下、この発明の実施形態を図面に基づいて詳細に説明する。図１、２図はこの発明の第１の実施形態を示すものである。ＩＣタグ(１)は、ＩＣ装置(２)と、これを内部に挟みこんで、上面から覆う上面カバー(３)と、裏面側の表面を覆う裏面カバー(４)とからなる。
【００１８】
ＩＣ装置(２)は、例えば、タグ情報を記憶するメモリなどのＩＣチップ(５)とアンテナ(６)からなる。ＩＣチップ内には、タグ情報、例えば、商品の型番、サイズ、色、製造者等の情報が適宜書き込まれている。
【００１９】
上面カバー(３)は、ＩＣ装置(２)の上面側の表面を覆い、商品の型番、サイズ、色等が印字されている印字面を兼ねている。
【００２０】
裏面カバー(４)は、ＩＣ装置(２)の裏面側の表面部を構成し、ＩＣ装置(２)が損壊する程度以上の力を受けたとき、割れやすい素材から形成される。上記において、ＩＣ装置(２)が損壊するとは、ＩＣ装置(２)内に記憶された情報が読み出せない状態をいう。こうした事態は、ＩＣ装置に外からの力が加わった場合、主として圧力が加わったときにおこる。例えば、靴で踏まれる等のケースである。こうした力は圧力に限らず、曲げ方向の力等も含まれる。
【００２１】
裏面カバー(４)は、図２のように、全体を走るヒビ割れや亀裂等の割れ(７)を生じて破損したり、力が加わった痕跡、例えば、破損とまでは言えないが目立つヒビ割れ等を残すことにより、一見して、ＩＣ装置(２)が損壊された程度の力が加わったことがわかるように形成する。
【００２２】
こうした裏面カバー(４)の素材としては、脆性の点から、プラスチック製の素材、特に硬質プラスチックが好ましい。
【００２３】
裏面カバー(４)の素材は、硬質プラスチック以外のものであっても、力を受けた痕跡が残り、目視してすぐにわかるものであればどのようなものでもよく、例えば、圧力に応じて凹みを生じるような軟質プラスチックを用いてもよい。もちろん、プラスチック以外の素材でも構わない。紙類、ガラス類など、上記の条件を満たし、ＩＣタグの機能を損なわないものであればどのようなものでもよい。
【００２４】
但し、裏面カバー(４)は、破損したり、割れたりするものであっても、破片が飛散したり、剥がれ落ちないようにしておくことが、商品や、商品に触れる人を傷つけないため望ましい。
【００２５】
この裏面カバー(４)は、ＩＣ装置(２)に力が加わったことを示すため、ＩＣ装置(２)を覆う範囲に設けることが考えられる。裏面カバー(４)は、ＩＣ装置(２)側の面に例えば接着層を設けて、ＩＣ装置側に接着される。
【００２６】
さらに、裏面カバー(４)は、透明なものが好ましい。ひび割れや亀裂が視認しやすく、内部の状況もある程度見えるからである。
【００２７】
ＩＣタグ(１)上に印字されるタグ情報は、感熱式プリンタ（サーマルプリンタ）で印字されることが多いため、裏面カバー(４)は、好ましくは、耐熱性のものを用いる。
【００２８】
上面カバー(３)を、ＩＣ装置が損壊する程度以上の力を受けたとき、破損するか、又は力の痕跡を残す性質を有する表面部としてもよく、こうした部位は、ＩＣ装置(２)の損壊がわかるようにしたものである限り、タグ(１)表面部のどの位置に設けてもよい。
【００２９】
図３は、 圧力を受けて変色する素材を表面部として用いた第２の実施形態である。裏面カバー(４)は、圧力を受けて変色する素材、即ち、圧力を感知して変色したり発色したりする素材で形成される。(８)は、変色部であって、圧力を受けて変色または発色した様子を示している。
【００３０】
裏面カバー(４)の素材としては、主として、圧力を感知して発色する感圧ノーカーボン紙が用いられる。１枚の紙自体で発色し複数の紙を要さない、いわゆるセルフ発色タイプのノーカーボン紙が好ましい。また、圧力の強さを測定して発色する紙であってもよい。
【００３１】
図４、図５は、この発明の第３の実施形態を示している。ＩＣタグ(１)は、上面カバー(３)と裏面カバー(９)と、これらの内部に挟み込まれたＩＣ装置(２)とからなるＩＣタグ本体(10)と、前記ＩＣタグ本体(10)の表面に貼り付けられるシール片(11)からなっている。このシール片(11)は裏面に接着層が設けられている。裏面カバー(９)の表面側に、シール片(11)が貼り付けられ、このシール片(11)が、ＩＣタグ(１)の表面部を形成し、圧力を受けた場合に変色する。
【００３２】
このシール片(11)の素材としては、前記、第２の実施形態と同じ素材が用いられるので、素材の説明は省略する。
【００３３】
前記シール片(11)は、ＩＣタグ本体(10)に貼り付けて用いられるものであるから、既製のＩＣタグに貼り付けることによって、既製のＩＣタグを、ＩＣ装置(２)が損壊される程度の力が加わったことを検知できるＩＣタグとすることができる。
【００３４】
また、シール片(11)の粘着力を、弱粘着性として剥離可能とする。即ち、被着体であるＩＣタグ本体から剥がせる程度の粘着力を有する弱粘着性としておけば、シール片(11)を剥がしてＩＣタグ本体(10)を再利用することが可能となり、経済的で便利である。シール片(11)の粘着力は、人為的に意図して剥がそうと試みれば容易に剥がれる程度としておき、意図せずして何かに付着する等して自然に剥がれることのない程度の粘着力としておく。
【００３５】
シール片(11)の接着剤を、接着する相手方である被着体に残らない性質の非転着性のものとしておけば、粘着シール片(11)の方も再利用が可能となる。
【００３６】
図５には、シール片(11)が、圧力を感知して変色した様子を示している。(８)は変色部である。
【００３７】
このように、いずれの実施形態においても、内部のＩＣ装置(２)が損壊する程度の力を受けたとき、破損するか、力の痕跡が、表面部の裏面カバー(４)又はシール片(11)に残っていることから、外見だけで、ＩＣ装置(２)が壊れているかどうかの大体の判断ができ、全てのＩＣタグ(１)につき、いちいち外部装置によって読み取り作業を行う必要はなく、省力化が図れ、利便性が非常に高いＩＣタグ(１)を得ることができる。
【００３８】
なお、この発明は、上記実施形態に限定されるものではなく、この発明の範囲内で上記実施形態に多くの修正及び変更を加え得ることは勿論である。
【００３９】
例えば、ＩＣタグは、その全体がラベルシール状に形成されたものも含み、商品に貼着されるものであってもよい。
【００４０】
以上述べた各構成は、本発明の趣旨を逸脱しない限り、互いに組み合わせることが可能である。
【図面の簡単な説明】
【００４１】
【図１】この発明の第１の実施形態に係るＩＣタグの分解斜視図である。
【図２】同じく、力を受けた状態の裏面カバー（表面部）を示す正面図である。
【図３】この発明の第２の実施形態に係るＩＣタグの圧力を受けた状態の裏面カバー（表面部）を示す正面図である。
【図４】この発明の第３の実施形態に係るＩＣタグの分解斜視図である。
【図５】同じく、圧力を受けた状態のシール片（表面部）を示す正面図である。.
【符号の説明】
【００４２】
(１)  ＩＣタグ
(２)  ＩＣ装置
(４)  裏面カバー（表面部）
(７)  割れ
(８)  変色部
(10)  ＩＣタグ本体
(11)  シール片（表面部）
【図１】
2005346296.tif 000003
【図２】
2005346296.tif 000004
【図３】
2005346296.tif 000005
【図４】
2005346296.tif 000006
【図５】
2005346296.tif 000007